(57)【要約】【目的】上着を確実に保持し鞄と共に片手で持ち運びできるハンガーを提供すること。【構成】開口部を有した掛け板とで構成されている。掛け板に衣服を内側から掛け、つぎに有口掛け板の開口部に衣服を引き通し三つ折にして掛け板を合わせて一緒にする。非使用時には掛け板を縮小または、折り畳むことで、コンパクトにまとめられ持ち運びが極めて容易になる。【選択図】　　　　図２
2004113446.tif 000002
【特許請求の範囲】
【請求項１】
衣服の内側から掛けられ掛け板と、衣服を通すための開口部を有した掛け板を組み合わせて使用し、衣服を三つ折りにして掛けることを特徴とする携帯用ハンガー。
【請求項２】
上記掛け板を伸縮可能、または、折りたたみ可能にし、開口部を有した掛け板の一端に弾性体の紐を固定し、他端に紐を引っ掛けるための溝を設け衣服を掛けた後に衣服がずれ落ちることを押さえる構造として構成したことを特徴とする請求項１記載の携帯用ハンガー。
【発明の詳細な説明】
【０００１】
【発明の属する技術分野】本発明は、衣服を鞄等と共に容易に保持することのできる持ち運び易い携帯用ハンガーに関する。
【従来の技術】
【０００２】従来の携帯用ハンガーとしては、例えば、実開昭６４−４９１６８号や特開２０００−８３７９３（Ｐ２０００−８３７９３Ａ）公報に掲載されたものが知られている。これは、図７に示すように、衣服Ｆが掛けられ拡縮可能な掛け棒１と、掛け棒１の両端部に架設され掛け棒１を懸吊する索状の懸吊索２とを備えて構成されている。掛け棒１は、径が段階的に大きくなる複数の短パイプ３をスライド可能に順次大径のパイプに挿入して伸縮可能に形成されている。そして、この携帯用ハンガーＨの非使用時には、掛け棒１を縮小して、鞄やポケット等に収納して持ち運び、この携帯用ハンガーＨを使用するときには、図７に示すように、掛け棒１を伸長により拡大し、この掛け棒１に衣服Ｆを掛け、例えば、鞄Ｋの把手Ｋａに引っ掛けて使用する。このため、歩行時に、手で衣服Ｆを持つ煩雑さがなく、鞄Ｋとともに持ち運びできるようになるので、旅行や外出等において、上着等を着たり脱いだりするような場合に、極めて便利になる。
【０００３】
【発明が解決しようとする課題】
上記の従来の携帯用ハンガーＨにあっては、鞄Ｋの把手Ｋａに懸吊索２を引っ掛けて持ち運びする際、衣服Ｆの掛けるバランスが悪くて徐々に掛け棒１からずれ落ちること、また、衣服Ｆを二つ折りにし鞄Ｋに掛けることから、地面や階段ステップなどに届いてしまい摺れることが考えられるという問題があった。本発明は、上記の問題点に鑑みてなされたもので、衣服の保持を確実にして、衣服がずれ落ちる事態を抑制できるようにし地面にも届かないようにした携帯用ハンガーを提供することを目的とする。
【０００４】
【課題を解決するための手段】このような目的を達成するための本発明の技術的手段は、衣服が内側から掛けられ掛け板と、開口部を有した掛け板（以降有口掛け板とする）とで構成されている。まず掛け板に衣服を内側から掛け、つぎに有口掛け板の開口部に衣服を引き通し三つ折にして掛け板を合わせて一緒にする。この場合、衣服の重みで衣服を押えることができ、そのため、持ち運びする際、衣服の掛けるバランスが悪くて徐々にずれ落ちる事態が抑制され、二つ折りのように地面に届くこともない。また、非使用時には掛け板を縮小または、折り畳む構造にするとで、コンパクトにまとめられ持ち運びが極めて容易になる。そのほか、掛け板と有口掛け板をパイプで構成しても軽量化が図れて便利である。
【０００５】そして、必要に応じ、上記、有口掛け板の一端に溝を設け、他端に伸縮する弾性体の紐を固定し、衣服を掛けた後に溝にゴム状の紐を掛けて衣服を押え、衣服のずれを止めると衣服の保持がより一層確実になる。
【０００６】そしてまた、必要に応じ、有口掛け板の両端にクリップのようなバネの衣服押さえを取り付けると衣服の保持がより一層確実になる。
【０００７】
【発明の実施の形態】まず、図１乃至図２を参照して、本発明を適用した第一実施例の構成と使用状態を説明する。
【０００８】
図中符号１００は本発明の第一実施例である携帯ハンガーを示し掛け板１０と有口掛け板２０、男性紐３０、掛け板の手掛け部４０、有口掛け板の手掛け部５０、開口部６０、溝７０、とで構成されている。まず図１に示ように掛け板１０に衣服の内側の肩の部分に掛ける。次に有口掛け板２０の開口部６０に衣服をとおし、裾と袖の部分を適度の位置で引っ掛ける。次に有口掛け板の手掛け部５０を掛け板の手掛け部４０に掛ける。そして、掛け具の手掛け部４０と鞄を一緒にまたは、鞄に掛けて持つことができる。以上により上着を手で持ち歩くことも無く、しわにもなりにくく、鞄などと一緒に持てるので両手がふさがることもないので、非常に便利である。また、不必要なときは掛け板１０を有口掛け板２０の開口部に合わせて薄くして鞄などに入れて携帯できる。
【０００９】
図３乃至図４を参照して、本発明を適用した第二実施例の構成と使用状態を説明する。図中符号２００は本発明の第二実施例である携帯ハンガーを示し掛け板１０と有口掛け板２０、男性紐３０、掛け板の手掛け部４０、有口掛け板の手掛け部５０、開口部６０、溝７０、伸縮調整部８０とで構成されている。まず図１に示ように掛け板１０を伸ばして、衣服の内側の肩の部分に掛ける。次に有口掛け板２０を伸ばして開口部６０に衣服をとおし、裾と袖の部分を適度の位置で引っ掛ける。次に有口掛け板の手掛け部５０を掛け板の手掛け部４０に掛ける。次にゴム紐３０を衣服の上から溝７０に掛ける。そして、掛け具の手掛け部４０と鞄を一緒にまたは、鞄に掛けて持つことができる。以上により上着を手で持ち歩くことも無く、しわにもなりにくく、鞄などと一緒に持てるので両手がふさがることもないので、非常に便利である。また、不必要なときは小さくして鞄などに入れて携帯できる。
【００１０】
図５乃至図６を参照して、本発明を適用した第三実施例の構成と使用状態を説明する。図中符号３００は本発明の第三実施例である携帯ハンガーを示し、掛け板１０と有口掛け板２０、ゴム紐３０、掛け板の手掛け部４０、有口掛け板の手掛け部５０、開口部６０、溝７０、折り曲げ部９０とで構成されている。まず図１に示ように掛け板１０を広げて、衣服の内側の肩の部分に掛ける。次に有口掛け板２０を伸ばして折れない方の面を表にして開口部６０に衣服をとおし、裾と袖の部分を適度の位置で引っ掛ける。次に有口掛け板の手掛け部５０を掛け板の手掛け部４０に掛ける。次にゴム紐３０を衣服の上から溝７０に掛ける。そして、掛け板の手掛け部４０と鞄を一緒にまたは、鞄に掛けて持つことができる。以上により上着を手で持ち歩くことも無く、しわにもなりにくく、鞄などと一緒に持てるので両手がふさがることもないので、非常に便利である。また、不必要なときは有口掛け板２０の開口部６０に架け板１０を入れて合わせ一緒に折り曲げて鞄などに入れて携帯できる。
【００１１】
【発明の効果】以上説明したように、本発明の携帯用ハンガーによれば、従来、使用されてきたハンガーのように掛け板で衣服の内側から吊るすことで、衣服の大半を確実に保持し、衣服のバランスが崩れることもなくなる。有穴掛け板で手に下げるには長すぎる丈を三つ折にすることで地面に着くこともなくなる。また、衣服の裾および袖を折畳んで吊るすため衣服がずれることを押えられる。また、弾性紐で押えることにより、一層確実に衣服を保持することができる。
更に、本体を伸縮可能に、または、折畳み可能にしたことでコンパクトにできたため持ち運びを容易にすることができる。
【００１２】
【図面の簡単な説明】
【図１】は、本発明の第一実施例の概略構成を示す平面図
【図２】は、本発明の第一実施例の使用例を示す斜視図
【図３】は、本発明の第二実施例の概略構成を示す平面図
【図４】は、本発明の第二実施例の使用例を示す斜視図
【図５】は、本発明の第三実施例の概略構成を示す平面図
【図６】は、本発明の第三実施例の使用例を示す斜視図
【図７】は、従来技術１の説明図
【符号の説明】
１０、１１―――――――掛け板
２０、２１―――――――有穴掛け板
３０、３１―――――――弾性紐
４０、４１―――――――手掛け部
５０、５１―――――――有穴掛け板手掛け部
６０、６１―――――――開口部
７０、７１―――――――有穴掛け板手掛け部の溝
８０、８１―――――――伸縮調整部
９０、９１―――――――折り曲げ部
【図１】
2004113446.tif 000003
【図２】
2004113446.tif 000004
【図３】
2004113446.tif 000005
【図４】
2004113446.tif 000006
【図５】
2004113446.tif 000007
【図６】
2004113446.tif 000008
【図７】
2004113446.tif 000009